(57)【特許請求の範囲】
【請求項１】
縦枠と下枠と端部キャップと止水パッキンと定形シーリング材とを備え、
縦枠は、浴室側に浴室側見付片を有し、
下枠は、縦枠の見込み面に当接している下枠本体部と浴室床面上に張り出している張出部とを有し、
端部キャップは、縦枠の浴室側見付片の浴室側に位置し且つ張出部の長手方向端部に取り付けてあり、
止水パッキンは、下枠の張出部下面と浴室床面との間並びに端部キャップ下面と浴室床面との間及び縦枠の浴室側見付片下端を経由した浴室側見付片の脱衣室側とに連続して設けてあり、
定形シーリング材は、下枠本体部と縦枠との間並びに端部キャップと縦枠の間及び張出部端部と端部キャップとの間に連続して設けてあるとともに、下側にはみ出し部を有し、はみ出し部は、止水パッキンに当接していることを特徴とするサッシ枠。
【発明の詳細な説明】
【技術分野】
【０００１】
本発明は浴室の出入口に設置するサッシ枠に関する。
【背景技術】
【０００２】
一般にユニットバスの床パンは周囲に立上がり部を設けて湯水が外に漏れないようになっていて、壁はその立上がり部の上に設けてある。
脱衣室と浴室との段差を小さくしてバリアフリー化を図るために、床パン立上がり部の周囲の一部を切り欠いて出入口を設けると、浴室出入り口のサッシ下枠と床パンの床面（浴室の床面）との間を止水する必要があり、その止水方法としては、コーキング剤を塗り込む湿式方式の止水方法があった。
しかし、コーキング剤の硬化には長時間要するために作業能率が悪いだけでなく高度の熟練を必要とした。
また、コーキングの経年劣化で漏水する恐れも高かった。
特開２０００−１９２７５０号公報には床面と下枠との間を、シール部材を取り付けた押え部材で止水するいわゆる乾式の止水方法を開示している。
しかし、同公報に記載のものは、下枠の下部に排水溝を設けてあり、押え部材と床面との間で完全に止水しなくても、多少漏れた湯水をこの排水溝で受けることができるもので、浴室床面に張出している押え部材と縦枠とのコーナー部の止水や、床パン立上り部と縦枠見付片との間について配慮されていなく、下枠の下部に排水溝のないものには対応できない。
【０００３】
【特許文献１】特開２０００−１９２７５０号公報
【発明の開示】
【発明が解決しようとする課題】
【０００４】
本発明は、コーキング剤を用いることなく施工性が極めて良く、乾式止水部材のみでも優れた止水性を有する浴室用のサッシ枠の提供を目的とする。
【課題を解決するための手段】
【０００５】
本発明に係るサッシ枠は、縦枠と下枠と端部キャップと止水パッキンと定形シーリング材とを備え、縦枠は、浴室側に浴室側見付片を有し、下枠は、縦枠の見込み面に当接している下枠本体部と浴室床面上に張り出している張出部とを有し、端部キャップは、縦枠の浴室側見付片の浴室側に位置し且つ張出部の長手方向端部に取り付けてあり、止水パッキンは、下枠の張出部下面と浴室床面との間並びに端部キャップ下面と浴室床面との間及び縦枠の浴室側見付片下端を経由した浴室側見付片の脱衣室側とに連続して設けてあり、定形シーリング材は、下枠本体部と縦枠との間並びに端部キャップと縦枠の間及び張出部端部と端部キャップとの間に連続して設けてあるとともに、下側にはみ出し部を有し、はみ出し部は、止水パッキンに当接していることを特徴とする。
【発明の効果】
【０００６】
本発明に係るサッシ枠においては、下枠の浴室側に張出部を設けて、張出部端部に端部キャップを取り付け、止水パッキンを、張出部下面と浴室床面との間並びに端部キャップ下面と浴室床面との間及び縦枠浴室側見付片の下端を経由してこの浴室側見付片の脱衣室側とまで連続的に設けているので、下枠と浴室との隙間をコーキング処理することなく止水できるため、高度の熟練を必要とするコーキング作業やコーキング剤が硬化するまでの放置時間が不要になるとともに、コーキング劣化による漏水もなくなるので取付作業性及び耐久性に優れる。
また、定形シーリング材を、下枠本体部と縦枠との間並びに端部キャップと縦枠の間及び張出部端部と端部キャップとの間に連続して設けるとともに、挟み込んだ間から下側にはみ出し部を形成して止水パッキンに当接しているのでシールが連続していて止水性が高い。
【発明を実施するための最良の形態】
【０００７】
本発明に係るサッシ枠を取り付けた浴室の出入口の縦断面図を図４に横断面図を図５にそれぞれ示す。
サッシ枠１０は、下枠１１、左右の縦枠１２，１１２、及び上枠１６を組付けて略方形の枠体を成していて、躯体４ａ、４ｂ、４ｃにそれぞれ取り付けた天板３ａ、脱衣室床板３ｂ及び側板３ｃからなる開口部に取り付けている。
サッシ枠１０には浴室用ドア１を装着し、ドア１の開閉により浴室に出入できるようになっている。
【０００８】
本発明に係るサッシ枠１０の構造例を図１に示す。なお、分かりやすくするために下枠に取り付けるドアとのタイト材等は省略してある。
サッシ枠１０は、床パン２の周囲の立上がり部２ｂの一部を切り欠いて縦枠１２の見込み面が床パンの立上がり切り欠き部端部２ｃに位置するように配置してある。
浴室の壁表面を床パン２の立上がり部２ｂの立上がり面にほぼ合わせるために、立上がり切り欠き端部２ｃから立上がり部２ｂの浴室側にわたって浴室側見付片１２ａを縦枠に設けてある。
なお、壁面は表示を省略してある。
下枠１１は、縦枠１２の見込み面に当接している張出部を除いた下枠本体部１１ａと、浴室床面に張り出した張出部１１ｂとを形成してあり、この張出部１１ｂは、床パンの立上がり部周囲の一部を切り欠いた部分に張り出し、床パン２の床面である浴室床面２ａの上面に載置するようになっている。
なお、この下枠の張出部１１ｂを中空断面形状にすると下枠の撓み強度が高くなる。また、床パンの一部を切り欠いたことにより下枠本体部１１ａを断面高さの高い中空断面形状にすることもできるため、下枠だけで撓み強度を確保しやすくなり、床パンの立上がり部２ｂの一部を切り欠いたことによる出入り口の強度低下を補うことができる。
図２（ａ）に示すように、縦枠１２の下端部見込み面を、下枠の張出部１１ｂを除いた下枠本体部１１ａの断面形状に合わせてプレス加工等で切断し、一般にシーラーと称される定形シーリング材１４ａを縦枠下端部に貼り付ける。
この定形シーリング材１４ａは縦枠の浴室側見付片１２ａ側に折り曲げて延設した定形シーリング材１４ｂと連結している。
縦枠１２に設けた取付孔１２ｃの裏側からビス等の連結部材を下枠１１のビスホール１１ｅに挿入（螺入）し縦枠１２と下枠１１とを連結している。
【０００９】
下枠１１に張出部１１ｂを形成して、下枠１１と縦枠１２の浴室側見付片１２ａとの間に生じた段差部に端部キャップ１３を設けてある。
端部キャップ１３は、下枠の張出部の端部１１ｃ側にボス部１３ａを形成して張出部１１ｂの断面中空部に挿入してあり、端部キャップ１３の頭部側から図示してないビス等の連結部材を取付孔１３ｂに挿入し、端部キャップ１３を張出部端部１１ｃに取り付けてある。
端部キャップ１３の下面は、下枠の張出部１１ｂの下面と同一面になっていて、端部キャップ１３を張出部端部１１ｃに取り付ける際に端部キャップ１３と下枠の張出部１１ｂの端面との間に定形シーリング材１４ｃを挟み込む。
定形シーリング材１４ｃは、挟み込んだ間から下側にはみ出した床側はみ出し部２１４ｃと縦枠側にはみ出した縦枠側はみ出し部１１４ｃを有している。
これにより、図１（ａ）に下枠を上から見た平面図を示すように、張出部端部１１ｃに端部キャップ１３を取り付けた際に縦枠側はみ出し部１１４ｃは、縦枠１２に貼り付けた定形シーリング材１４ａと当接し、図１（ｂ）に浴室側から見た側面図を示すように、床側はみ出し部２１４ｃは、下枠１１の張出部１１ｂの下面と浴室床面２ａとの間及び端部キャップ１３の下面と浴室床面２ａとの間に取り付けてある止水パッキン１５に食い込むように当接している。
また縦枠１２に取り付けた定形シーリング材１４ｂと１４ａは連結していて、且つ定形シーリング材１４ｂを端部キャップ１３と縦枠１２の間に挟み込むことになるので定形シーリング材１４ａ、１４ｂ、１４ｃは相互に連続している。
ここで、定形シーリング材１４ｂも縦枠１２の浴室側見付片１２ａと端部キャップ１３との間に挟み込んだ下側に、はみ出し部を有している。
【００１０】
止水パッキン１５は、弾力のある弾性体からなり、下枠１２の浴室側への張出部１１ｂの下面１１ｄと浴室床面２ａとの間から、端部キャップ１３の下面と浴室床面２ａとの間にわたって、さらに、縦枠の浴室側見付片１２ａの下端１２ｄを経由して浴室側見付片の脱衣室側１２ｂと床パンの立上がり部２ｂの間まで連続して取り付けてある。
図２に示す止水パッキン１５の立上げ部１５ａの立上げ高さは、床パンの立上げ部２ｂの高さ以上にし、湯水が大量に押し寄せても漏水しないようになっている。
止水パッキン１５が連続的にサッシ枠と浴室床面との間及び縦枠の浴室側見付片の脱衣室側と床パン立上がり部までの隙間を塞ぐように止水ラインを形成しているので止水性が高い。
図１に示すように、切り欠き端部止水パッキン１７を床パン２の立上がり部２ｂの切り欠き端部２ｃと縦枠１２の見込み片との間に取り付けてある。
【００１１】
図３に定形シーリング材の他の連結例を示す。
定形シーリング材１４ｄは、浴室側に、浴室側はみ出し部１１４ｄを有し、縦枠１２の見込み片の下端部に貼り付ける。
縦枠１２の浴室側見付片１２ａと端部キャップ１３との間に挟み込む定形シーリング材１４ｅと縦枠１２の張出部端部１１ｃと端部キャップ１３との間に挟み込む定形シーリング材１４ｆからなるＬ字状定形シーリング材を端部キャップに取り付けることで、定形シーリング材１４ｅ、１４ｄ、１４ｆを連続させた例である。
本発明においては、一方の定形シーリング材に、はみ出し部を形成して他方の定形シーリング材に食い込むように当接させることで連続したシール部を形成したものである。
【図面の簡単な説明】
【００１２】
【図１】本発明に係るサッシ枠のコーナー部を示す。
【図２】サッシ枠の構造例を示す。
【図３】定形シーリング材の他の連結例を示す。
【図４】浴室出入口の縦断面を示す。
【図５】浴室出入口の横断面を示す。
【符号の説明】
【００１３】
２ａ    浴室床面
１１    下枠
１１ａ  下枠本体部
１１ｂ  張出部
１２    縦枠
１２ａ  浴室側見付片
１３    端部キャップ
１４ａ  定形シーリング材
１５    止水パッキン
【図１】
0004542983.tif 000002
【図２】
0004542983.tif 000003
【図３】
0004542983.tif 000004
【図４】
0004542983.tif 000005
【図５】
0004542983.tif 000006